(57)【特許請求の範囲】
【請求項１】
水を貯留する貯水部と、該貯水部の水を加熱する加熱手段としての加熱ヒータと、前記貯水部に貯留する水に下部を水没させた回転体と、該回転体の外周に位置して該回転体と共に回転しこの回転による遠心力で飛散される水及び空気が通過可能な円筒状の多孔体と、前記回転体を駆動させる回転用モータとで構成され、前記貯水部に貯留された温水を前記回転体の回転により汲み上げ前記多孔体にぶつけて破砕して微細水滴及びマイナスイオンを生成する水破砕手段と、該水破砕手段で生成された微細水滴及びマイナスイオンをサウナ室内に供給する送風機と、サウナ室内の温度を検知する室内温度センサと、前記貯水部内に貯留する温水の温度を検知する貯水温度センサと、前記加熱ヒータの駆動を制御してサウナ室内を設定温度に調節する制御手段とを備え、前記室内温度センサで検知された温度と設定温度を比較し、更に、前記貯水温度センサで検知された温度と設定温度を比較して、前記室内温度センサで検知された温度が設定温度よりも低く、かつ前記貯水温度センサで検知された温度が設定温度に対して第１所定値だけ増加させた値以下であれば前記加熱ヒータをＯＮ操作し、前記室内温度センサで検知された温度が設定温度以上か、もしくは前記貯水温度センサで検知された温度が設定温度に対して前記第１所定値よりも高い第２所定値だけ増加させた値を超えていれば加熱ヒータをＯＦＦ操作することを特徴としたサウナ装置。
【請求項２】
前記室内温度センサで検知された温度が設定温度よりも低く、かつ前記貯水温度センサで検知された温度が設定温度に対して前記第１所定値だけ増加させた値より高いと共に設定温度に対して前記第２所定値だけ増加させた値より低い場合は、前記加熱ヒータのＯＮ／ＯＦＦの状態を変化させないことを特徴とする前記請求項１記載のサウナ装置。
【発明の詳細な説明】
【技術分野】
【０００１】
この発明は、貯水部に貯留した温水を破砕し微細水滴及びマイナスイオンを生成して、それをサウナ室内に供給するサウナ装置に関するものである。
【背景技術】
【０００２】
本出願人は先に下記の特許文献１にて、サウナ室内に低温高湿のサウナ雰囲気を形成するサウナ装置を提供した。かかるサウナ装置を図１０を用いて説明すると、図１０において、１０１は低温のサウナ室１０２のベンチ１０３下に備えられた微細水滴及びマイナスイオン発生装置で、サウナ室１０２内の上部まで延びた吸引ダクト１０４を介して該サウナ室１０２内の空気を吸引し、塵や細菌を除去した後に、加熱昇温した微細水滴及びマイナスイオンをベンチ１０３下方に形成した放出口１０５からサウナ室１０２に供給して、順次これを繰り返してサウナ室１０２の空気を循環させることで、サウナ室１０２を使用室温３８〜４２℃、相対湿度９０％以上の低温高湿サウナの使用雰囲気とするものである。
【０００３】
次に、前記微細水滴及びマイナスイオン発生装置１０１について、図１１と図１２に基づいて説明すると、１０６は水を一定量貯留する貯水部、１０７は貯水部１０６の一側壁に接続され貯水部１０６に給水する給水管、１０８は給水管１０７の途中に設けられ給水管１０７の開閉を行う自動給水弁、１０９は貯水部１０６に貯められた水を加熱する加熱ヒータ、１１０は貯水部１０６の底部に接続され貯水部１０６に貯められた水または加熱ヒータ１０９に加熱された加熱水を排水する排水管、１１１は排水管１１０の途中に設けられ排水管１１０の開閉を行う自動排水弁、１１２は排水管１１０の途中で自動排水弁１１１より下流側に設けられ下水の臭気等の侵入を防ぐ排水トラップである。
【０００４】
１１３は下部を水没させ上方に向かって径が拡大した擂り鉢状の回転体１１４を回転させる回転用モータ、１１５は前記回転体１１４の外周に所定間隔を保持して位置し、回転体１１４と共に回転する円筒状の多孔体で、前記回転体１１４は前記回転用モータ１１３による駆動で回転し、回転体１１４の回転による遠心力で貯水部１０６内の水を汲み上げると共に空気を飛散させ、そして多孔体１１５全周壁に形成した多数のスリットや金網やパンチングメタル等を、通過させたり、ぶつけて破砕させることで、水の粒子を微細化してナノメートル（ｎｍ）サイズの微細水滴を生成すると共に、この水の粒子の微細化によるレナード効果でマイナスイオンを発生させるものであり、回転体１１４を回転させる回転用モータ１１３と、回転体１１４と、回転体１１４と共に回転する多孔体１１５とから水破砕手段が構成されているものである。また、１１６は回転用モータ１１３を収容する防水カバー、１１７は前記多孔体１１５の外周に所定の間隔を置いて多孔体１１５を覆うように配置された楕円形状の空気案内筒である。
【０００５】
１１８は送風機で、吸引ダクト１０４を介して吸引されたサウナ室１０２内の空気を、微細水滴及びマイナスイオン発生装置１０１内に導き、微細水滴及びマイナスイオン発生装置１０１内で発生した微細水滴及びマイナスイオンをのせて、サウナ室１０２に送風により供給するものであり、また、１１９は吸引ダクト１０４を介して吸引されたサウナ室１０２内の空気を加熱する空気ヒータである。
【０００６】
次に、この従来のサウナ装置の作動について図１３のフローチャートを用いて説明する。
今サウナ装置の運転スイッチ（図示せず）をＯＮ操作すると運転ランプ（図示せず）が点灯し、サウナ装置の運転が開始され、まず、貯水部１０６内の水または温水を排水する排水管１１０の開閉を行う自動排水弁１１１を開弁し、貯水部１０６内に給水する給水管１０７を開閉する自動給水弁１０８を開弁して、貯水部１０６内に給水を行い、貯水部１０６内を洗浄して排水するクリーニングモードが行われる。
【０００７】
クリーニングモードが終了すると、自動排水弁１１１を閉弁して、貯水部１０６内に給水を行い、加熱ヒータ１０９に通電し貯水部１０６内の水を殺菌可能な温度まで加熱すると共に、回転用モータ１１３を駆動させて回転体１１４及び多孔体１１５を回転させる除菌モードＡが行われる。
【０００８】
除菌モードＡが終了すると、送風機１１８の駆動を開始させると共に、空気ヒータ１１９を通電させ、さらに、貯水部１０６内に貯水されている温水温度を、サウナ室の設定温度よりも高い温度に保つよう加熱ヒータ１０９を制御して、サウナ室１０２を設定温度まで立ち上げる立ち上げモードが行われる。
【０００９】
立ち上げモードが終了すると、サウナ室１０２内の天井部に備えられた室内温度センサ１２０で検知される温度が設定温度−０．５℃の値以下であれば加熱ヒータ１０９をＯＮ操作し、設定温度以上であれば加熱ヒータ１０９をＯＦＦ操作することでサウナ室２内の温度を調節し、サウナ室１０２内の温度が設定温度に維持されることで快適なサウナ入浴の実施が可能な安定モードが行われる。
【００１０】
安定モードで連続運転時間が終了すると、送風機１１８を停止し、運転ランプが消灯され、自動的に運転スイッチＯＦＦとなる。そして、前記安定モードが終了すると、加熱ヒータ１０９により貯水部１０６内の水を殺菌可能な温度まで加熱すると共に、回転用モータ１１３を駆動させて回転体１１４及び多孔体１１５を回転させる除菌モードＢが行われる。
【００１１】
除菌モードＢでの除菌が終了すると、回転用モータ１１３の駆動を停止させて回転体１１４及び多孔体１１５の回転を停止させ自動排水弁１１１を開弁して貯水部１０６内の温水を排水し、前記除菌モードＢが終了すると、送風機１１８を駆動させると共に空気ヒータ１１９を通電させ、微細水滴及びマイナスイオン発生装置１０１内及びサウナ室１０２内を乾燥させる乾燥モードが行われるものであり、乾燥モードが終了するとサウナ装置は自動排水弁１１１が開弁の状態のまま停止状態となるものであった。
【先行技術文献】
【特許文献】
【００１２】
【特許文献１】特願２００８−２０９４１４号
【発明の概要】
【発明が解決しようとする課題】
【００１３】
この従来のものでは、送風機１１８が微細水滴及びマイナスイオン発生装置１０１の上部に設置されていることで、サウナ装置をよりコンパクトなサイズにできなかったが、この送風機１１８を微細水滴及びマイナスイオン発生装置１０１の周壁に設置すると、高さが低くなりサウナ室１０２の床下に容易に収納できるので使用勝手が良くなった。しかし、サウナ装置をコンパクトにするにあたりサウナ室１０２を構成する側壁部を薄くしたことで室内の断熱性が落ちたことや、サウナ室１０２の容積が減少したことで扉の開閉時にサウナ室１０２内の空気が外部に漏れて温度が急激に下がることで、サウナ室２内の温度を安定させるために加熱ヒータ１０９をＯＮ／ＯＦＦ操作する回数が増えたことで、消費電力が増加していた。
【００１４】
また、安定モード時のサウナ室１０２は室内温度センサ１２０の検知温度と事前に使用者が調節する設定温度とを比較し加熱ヒータ１０９をＯＮ／ＯＦＦ操作してサウナ室２内の温度を調節しているが、サウナ室２内の温度を安定させるために加熱ヒータ１０９のＯＮ／ＯＦＦ操作回数が増えたことで、設定温度−０．５℃以下を室内温度センサ１２０が検知しヒータをＯＮ操作してサウナ室２内に送風すると、貯水部１０６内の温水温度が５０℃前後の高温だったとしても、室内温度センサ１２０での検知温度のみで送風の判断をしていたので、５０℃前後の温風が放出口１０５から噴出する場合があり、入浴者にとって不快であり火傷の危険もあった。
【課題を解決するための手段】
【００１５】
上記課題を解決するために、本発明の請求項１では水を貯留する貯水部と、該貯水部の水を加熱する加熱手段としての加熱ヒータと、前記貯水部に貯留する水に下部を水没させた回転体と、該回転体の外周に位置して該回転体と共に回転しこの回転による遠心力で飛散される水及び空気が通過可能な円筒状の多孔体と、前記回転体を駆動させる回転用モータとで構成され、前記貯水部に貯留された温水を前記回転体の回転により汲み上げ前記多孔体にぶつけて破砕して微細水滴及びマイナスイオンを生成する水破砕手段と、該水破砕手段で生成された微細水滴及びマイナスイオンをサウナ室内に供給する送風機と、サウナ室内の温度を検知する室内温度センサと、前記貯水部内に貯留する温水の温度を検知する貯水温度センサと、前記加熱ヒータの駆動を制御してサウナ室内を設定温度に調節する制御手段とを備え、前記室内温度センサで検知された温度と設定温度を比較し、更に、前記貯水温度センサで検知された温度と設定温度を比較して、前記室内温度センサで検知された温度が設定温度よりも低く、かつ前記貯水温度センサで検知された温度が設定温度に対して第１所定値だけ増加させた値以下であれば前記加熱ヒータをＯＮ操作し、前記室内温度センサで検知された温度が設定温度以上か、もしくは前記貯水温度センサで検知された温度が設定温度に対して前記第１所定値よりも高い第２所定値だけ増加させた値を超えていれば加熱ヒータをＯＦＦ操作するものである。
【００１６】
また、請求項２では前記室内温度センサで検知された温度が設定温度よりも低く、かつ前記貯水温度センサで検知された温度が設定温度に対して前記第１所定値だけ増加させた値より高いと共に設定温度に対して前記第２所定値だけ増加させた値より低い場合は、前記加熱ヒータのＯＮ／ＯＦＦの状態を変化させないものである。
【発明の効果】
【００１７】
この発明によれば、室内温度センサで検知されたサウナ室内の温度と設定温度を比較し、さらに、貯水温度センサで検知された貯水部内の温度と設定温度を比較した結果に基づいて加熱ヒータのＯＮ／ＯＦＦ操作を行うので、貯水部内にある温水の温度が設定温度から大きく外れることがなく、常に設定温度に近い温風をサウナ室内に供給することができるため、加熱ヒータをＯＮ／ＯＦＦ操作する回数の増加を防ぐことで消費電力が抑えられ、入浴者が火傷等を負う危険を防止して快適な入浴を楽しめるものである。
【図面の簡単な説明】
【００１８】
【図１】この発明の一実施形態におけるサウナ装置の概略構成図。
【図２】同一実施形態の微細水滴及びマイナスイオン発生装置の要部断面図。
【図３】同一実施形態のケーシングの平面図。
【図４】同一実施形態の微細水滴及びマイナスイオン発生装置の要部断面図。
【図５】同一実施形態の微細水滴及びマイナスイオン発生装置の水平断面図。
【図６】同一実施形態のサウナ室の外観図。
【図７】同一実施形態の要部電気回路ブロック図
【図８】同一実施形態の一連の動作を示すフローチャート
【図９】同一実施形態の安定モード時の動作を示すフローチャート
【図１０】従来例のサウナ装置の概略構成図
【図１１】従来例の微細水滴及びマイナスイオン発生装置の横断面図
【図１２】従来例の微細水滴及びマイナスイオン発生装置の縦断面図
【図１３】従来例の一連の動作を示すフローチャート
【発明を実施するための形態】
【００１９】
次に、本発明のサウナ装置の一実施形態を図面に基づき説明する。
図１において、１は低温のサウナ室２の床下３に備えられた微細水滴及びマイナスイオン発生装置で、サウナ室２内の床に開口した吸引口４を介して該サウナ室２内の空気を吸引し、塵や細菌を除去した後に、加熱昇温した微細水滴及びマイナスイオンを床に形成した放出口５からサウナ室２に供給して、順次これを繰り返してサウナ室２の空気を循環させることで、サウナ室２を使用室温３８〜４２℃、相対湿度９０％以上の低温高湿サウナの使用雰囲気とするものである。
【００２０】
次に、前記微細水滴及びマイナスイオン発生装置１について、図２〜５に基づいて説明する。
６は水を一定量貯留する貯水部、７は貯水部６の一側壁に接続され貯水部６に給水する給水管、８は給水管７の途中に設けられ給水管７の開閉を行う自動給水弁、９は貯水部６に貯められた水を加熱し、貯水部６の水面下で貯水部６底部近傍に単相２００Ｖ、２ＫＷで平面視Ｍ字状に水平に取り付けられてＵ字部１０を３箇所有した加熱ヒータ、１１は貯水部６の一側壁に設けたオーバーフロー管、１２は貯水部６の底部に接続され貯水部６に貯められた水または加熱ヒータ９に加熱された加熱水を排水する排水管、１３は排水管１２の途中に設けられ排水管１２の開閉を行う自動排水弁、１４は排水管１２の途中で自動排水弁１３より下流側に設けられ貯水部６からの排水を貯めて下水の臭気等の侵入を防ぐ排水トラップである。
【００２１】
１５は前記貯水部６内を処理室１６と分離室１７の２室に仕切る仕切壁で、下端を分離室１７側を屈曲し水面との間の連通路１８を水面近傍まで下げることにより、処理室１６から分離室１７へ向かう空気中の大粒のミスト（水滴）を水面にぶつけて落下させる気液分離器の役目も果たすようにしている。
【００２２】
前記処理室１６には、貯水部６の蓋体１９に設けた挿通穴２０に、防水カバー２１の凹部２２に回転用モータ２３の下半分を収容して挿通し、回転用モータ２３と支軸２４とを連結し、下部を水没させ上方に向かって径が拡大した擂り鉢状の回転体２５が、加熱ヒータ９の給水管７から一番離れた方のＵ字部１０中に垂下して設けられ、この回転体２５は前記回転用モータ２３による駆動で回転し、その遠心力で加熱ヒータ９で加熱された貯水部６内の温水を回転体２５表面及びむしろ裏面に沿って吸い上げ、上端に形成した複数の細孔２６から周囲に飛散させるものである。
【００２３】
前記分離室１７には、仕切壁１５の下端を分離室１７下方に向かって傾斜屈曲させた第１の邪魔板２７と、この仕切壁１５と対向する側壁に、下方に向かって傾斜して取り付けた第２の邪魔板２８とで交互に突出させて、中央部に下部の連通路１８から上部の放出口５に向かう蛇行路２９が形成されているものである。
【００２４】
３０は前記回転体２５の外周に所定間隔を保持して位置し、該回転体２５と共に回転する円筒状の多孔体で、回転体２５の回転による遠心力で貯水部６内の水を汲み上げると共に空気を飛散させ、そして多孔体３０全周壁に形成した多数のスリットや金網やパンチングメタル等から成る多孔部３１を、通過させたり、ぶつけて破砕させることで、水の粒子を微細化してナノメートル（ｎｍ）サイズの微細水滴を生成すると共に、この水の粒子の微細化によるレナード効果でマイナスイオンを発生させるものであり、前記回転体２５を回転させる回転用モータ２３と、回転体２５と、回転体２５と共に回転する多孔体３０とから水破砕手段が構成されているものである。
【００２５】
３２は前記多孔体３０の外周に所定の間隔を置いて多孔体３０を覆うように配置された楕円形状の空気案内筒で、円筒状の多孔体３０との間には一対の大流通路３３と一対の小流通路３４とが形成されるように、処理室１６の上方を塞ぐ中蓋３５に設けられており、分離室１７の上部側壁で該分離室１７と放出口５とを連通する位置に備えられた円筒状のクロスフローファンから成る送風機３６の駆動で、吸引ダクト４を介し蓋体１９と中蓋３５との間の給気口３７から吸引されたサウナ室２内の空気を、一側壁に吸引ダクト４が接続される給気口３７を有し蓋体１９と中蓋３５との間の空間で形成される給気室３８に流入させ、処理室１６上部の給気室３８から処理室１６に向かって回転体２５の上方から空気案内筒３２内に流入させることで、水の粒子の破砕回数を増やすと共に、空気のマイナス帯電も増加させ結果としてナノメートルサイズの微細水滴及びマイナスイオンを大量に発生させることができるものであり、例えばマイナスイオンではサウナ室２の中央部中間位置で約７０００個／ＣＣを検出するものである。なお、前記送風機３６は回転数可変のクロスフローファンであり、回転数の高い強運転と回転数の低い弱運転とを行うことができるものである。
【００２６】
前記送風機３６は、貯水部６の周壁に突出した形で備えられ、断面逆Ｌ字状で細長いケーシング３９内に収納されており、分離室１７の吐出口４０から吸引した微細水滴及びマイナスイオンを放出口５からサウナ室２に放出するものであり、又ケーシング３９の内壁底部で一番低い部分には、微細がぶつかって発生する結露水を捕集する凹状の捕集溝４１が幅方向一直線上に形成され、途中３箇所には立ち方向に延びる補助溝４２を形成し、更に捕集溝４１の幅方向の中間部には連通口４３が形成され、捕集溝４１はこの連通口４３に向かって両側から下り傾斜しており、更に連通口４３には捕集した結露水を排水する連通パイプ４４が取り付けられている。
【００２７】
４５は貯水部６内の底部に備えられ貯水部６内の水または温水があるときに検出信号を出力する水位検出手段としての２つのフロートスイッチ４６、４７から成り、フロートスイッチ４６は貯水部６に貯められる水の低水位を検出するもので、加熱ヒータ９が水面上に露呈しない所定水位まで水があるときに検出信号を出力するものであり、フロートスイッチ４７は貯水部６に貯められる水の高水位を検出するもので、フロートスイッチ４６が水ありを検出する水位よりも高い所定水位に達したときに、検出信号を出力するものであり、貯水部６の水位が加熱ヒータ９が水面上に露呈しない所定水位に低下すると、低水位検出用のフロートスイッチ４６がＯＦＦとなり、自動給水弁８を開弁して一定水位まで給水を行い、そして、貯水部６内が所定水位に達して、高水位検出用のフロートスイッチ４７がＯＮとなると、自動給水弁８を閉弁するものであり、サウナ運転中は常に貯水部６を所定水位範囲内に保持するものである。
【００２８】
４８は前記２つのフロートスイッチ４６、４７を貯水部６の水面変動の影響を受けないように保護する断面コ字状の保護枠で、正面及び両側方を水面上まで突出させた枠体とし、貯水部６の一側壁とで２つのフロートスイッチ４６、４７を囲ったものであり、上面で２つのフロートスイッチ４６、４７を垂下して固定している。
【００２９】
４９は吸引ダクト４と共に給気経路を構成する給気口３７に取り付けられたＵ字状、１００Ｖ、３４０Ｗの空気加熱手段としての空気ヒータで、給気口３７の側壁から突出し該側壁に対して上方をやや後側に寝かせて傾斜させた状態にし、Ｕ字状のヒータ部分が重ならずに小さな面でサウナ室２内からの送風空気と効率良く接するよう配置しサウナ室２内からの空気を加熱するものであり、サウナ装置２の運転開始時に送風機３６を駆動させると共に、空気ヒータ４９に通電してサウナ室２を循環させる空気を加熱し、サウナ室２の雰囲気温度を上昇させて、立ち上がり時間の短縮を図るものであり、更にサウナ装置の運転終了後には送風機３６を駆動すると共に空気ヒータ４９に通電させ、温風によって装置１内を乾燥させ、衛生状態の良好を保つようにしたものである。
【００３０】
５０は貯水部６の下部外壁で所定水位に設けられ貯水部６内の貯水温度を検出する貯水温度検出手段としての貯水温度センサ、５１は同じく貯水部６の下部外壁で所定水位に設けられた過熱防止センサで、貯水部６が異常過熱状態になった時、全駆動を停止させて安全を確保するものである。
【００３１】
また、図１において、５２はサウナ室２内の上部の取り付けられサウナ室２内の室内温度を検出する室温検出手段としての室内温度センサである。５３はサウナ室２を換気する換気手段としての換気扇、５４はサウナ室２への出入り用のドアで、５５はドア５４上部に設けられた覗き窓、５６はドア５４下部に設けられサウナ室２外からサウナ室２内に空気を取り込む空気取入口で、この空気取入口５６は、換気扇５３が駆動すると開いてサウナ室２外からサウナ室２内に空気を供給する構造となっている。また、５７は緊急スイッチで、サウナ室２内で入浴者である使用者に異常が発生した場合に、使用者によりこの緊急スイッチ５７が操作されると、ブザーを鳴らす等によってサウナ室２内で異常が発生したことをサウナ室２外に報知し、自動排水弁１３を開弁して貯水部６内の温水を排水させると共に、換気扇５３を作動させることで、サウナ室２内の温度及び湿度を低下させてサウナ室２内を平常状態に戻す動作が為されるものである。
【００３２】
次に、図６に示すように、５８はこのサウナ装置を遠隔操作するリモコンで、このリモコン５８には、サウナ室２内の室内設定温度を表示する室内設定温度表示部５９と、室内温度センサ５２の検出するサウナ室２内の温度を表示する室内温度表示部６０と、サウナ室２内の設定温度、例えば３８℃〜４２℃を１℃刻みで設定する室温設定スイッチ６１と、サウナ装置の運転開始及び停止を指示する運転スイッチ６２と、運転スイッチ６２のＯＮ／ＯＦＦを表示する運転ランプ６３と、換気扇５３のＯＮ／ＯＦＦを指示しサウナ室２内の換気を指示したり、換気扇５３と送風機３６と空気ヒータ４９とのＯＮ／ＯＦＦを指示しサウナ室２内の乾燥を指示する換気スイッチ６４と、換気スイッチ６４のＯＮ／ＯＦＦを表示する換気ランプ６５と、サウナ室２内が室温設定スイッチ６１で設定した設定温度に達したら点灯し、サウナ室２への入室許可を報知する入浴ランプ６６とが設けられているものである。
【００３３】
次に、図７に示す要部電気回路のブロック図を説明する。
６７は記憶、演算、時間カウント等の機能を有し、このサウナ装置を制御する制御手段で、制御手段６７と前記リモコン５８とは無線または有線により通信可能に接続されているものであり、制御手段６７の入力側には、フロートスイッチ４６、４７と、貯水温度センサ５０と、過熱防止センサ５１と、室内温度センサ５２と、緊急スイッチ５７とが接続されており、出力側には、自動給水弁８と、加熱ヒータ９と、自動排水弁１３と、回転用モータ２３と、送風機３６と、空気ヒータ４９と、換気扇５３が接続されているものである。
【００３４】
次に、このサウナ装置の一実施形態の動作について図８のフローチャートに基づいて説明する。
まず、サウナ室２の側壁に備えられたリモコン５８の室温設定スイッチ６１によりサウナ室２の設定温度を３８℃から４２℃の範囲内で設定し、運転スイッチ６２をＯＮ操作すると運転ランプ６３が点灯してサウナ装置の運転が開始され、サウナ装置の準備運転であるクリーニングモードが開始される（Ｓ１０１）。このクリーニングモードでは、貯水部６内の水または温水を排水する排水管１２の開閉を行う自動排水弁１３を開弁すると共に、貯水部６内に給水する給水管７を開閉する自動給水弁８を開弁して、貯水部６内に給水を行って、貯水部６内に水を貯める前に貯水部６内の底に残ったホコリ、塵、菌などを洗浄して排水する。
【００３５】
Ｓ１０１のクリーニングモードが終了すると、続いて除菌モードＡを実行し（Ｓ１０２）、この除菌モードＡでは、貯水部６内底部近傍に配設された加熱ヒータ９に通電し貯水部６内の水を殺菌可能な温度まで加熱すると共に、回転体２５を回転させる回転用モータ２３を駆動させて貯水部６内に貯められた水を殺菌すると共に、貯水部６から加熱された温水を汲み上げる回転体２５や、回転体２５の外周に配置され回転体２５と共に回転する多孔体３０や、多孔体３０を覆うように配置された空気案内筒３２に付着したホコリ、塵、菌等を洗い流して清潔な状態にして回転体２５、多孔体３０、空気案内筒３２を除菌・殺菌する。
【００３６】
Ｓ１０２の除菌モードＡが終了しサウナ装置の準備運転が終了すると、続いてサウナ装置のサウナ運転である立ち上げモードを実行し（Ｓ１０３）、この立ち上げモードでは、送風機３６を強運転に設定し送風機３６の駆動を開始させると共に、給気口３７に取り付けられた空気ヒータ４９を通電させ、さらに、貯水部６内に貯水されている温水温度を、室温設定スイッチ６１で設定した設定温度よりも高い温度に保つよう加熱ヒータ９をＯＮ／ＯＦＦ制御することで、サウナ室２内の空気を空気ヒータ４９により加熱し、微細水滴及びマイナスイオン発生装置１にて、設定温度よりも高い温度に加熱昇温された貯水部６内の温水を破砕して生成された微細水滴及びマイナスイオンを送風機３６により放出口５からサウナ室２に供給して、順次これを繰り返してサウナ室２の空気を循環させ、サウナ室２内を立ち上げる。
【００３７】
Ｓ１０３の立ち上げモードが終了すると、続いて安定モードを実行し（Ｓ１０４）、この安定モードでは、加熱ヒータ９のＯＮ／ＯＦＦ制御を貯水温度センサ５０と室内温度センサ５２とで検出された温度に基づく制御に切り換えることで、設定温度での安定した快適なサウナ入浴を行えるようにするものであり、さらに送風機３６を強運転から弱運転に切り換えることで、サウナ室２内の騒音を抑えて使用者が快適なサウナ入浴を行えるようにするものである。
【００３８】
Ｓ１０４で安定モードが終了しサウナ運転が終了すると、続いてサウナ装置の終了運転である除菌モードＢを実行し（Ｓ１０５）、この除菌モードＢでは、サウナ運転で送風機３６を駆動させサウナ室２内の空気を循環させた結果、細菌などを取り込んだ貯水部６内の温水を加熱ヒータ９により殺菌可能な温度まで加熱すると共に、回転体２５を回転させる回転用モータ２３を駆動させて貯水部６内に貯められた温水を殺菌すると共に、その温水により貯水部６から加熱された温水を汲み上げる回転体２５や、回転体２５の外周に配置され回転体２５と共に回転する多孔体３０や、多孔体３０を覆うように配置された空気案内筒３２に付着したホコリ、塵、菌等を洗い流して清潔な状態にし、回転体２５、多孔体３０、空気案内筒３２を除菌・殺菌する。
【００３９】
Ｓ１０５の除菌モードＢが終了すると、続いて乾燥モードを実行し（Ｓ１０６）、この乾燥モードでは、送風機３６の駆動を開始させると共に、給気口３７に取り付けられた空気ヒータ４９を通電させ、さらに換気扇５３を駆動させることで、微細水滴及びマイナスイオン発生装置１内や吸引ダクト４内及びサウナ室２内を乾燥させる。
【００４０】
次に、上記の安定モードの具体的な動作について図９のフローチャートに基づいて説明すると、まず、制御手段６７は空気ヒータ４９への通電をＯＦＦにしてから送風機３６を弱運転にし（Ｓ２０１）、連続運転時間である予め設定された所定時間（例えば６０分）のカウントを開始する（Ｓ２０２）。なお、連続運転時間はサウナ室２内が設定温度に達したときにカウントが開始される。
【００４１】
Ｓ２０２の連続運転時間のカウントを開始すると、室内温度センサ５２で検知されたサウナ室２内の室温と室温設定スイッチ６１で調節された設定温度−０．５℃の値（例えば設定温度が４０℃ならば３９．５℃）とを比較し（Ｓ２０３）、比較した結果によって次のステップでの制御を決定する。
【００４２】
前記Ｓ２０３の比較で室内温度センサ５２の検知温度が設定温度−０．５℃以下であれば、貯水部６内に貯められている温水温度を検知している貯水温度センサ５０で検知された温度と設定温度＋１℃の値（例えば設定温度が４０℃ならば４１℃）とを比較し（Ｓ２０４）、貯水温度センサ５０の検知温度が設定温度＋１℃の値以下であれば、加熱ヒータ９をＯＮ操作して貯水部６内の温水を加熱する（Ｓ２０５）。
【００４３】
前記Ｓ２０３の比較で室内温度センサ５２の検知温度が設定温度−０．５℃よりも高ければ、室内温度センサ５２で検知された温度と設定温度（例えば４０℃）とを比較し（Ｓ２０６）、室内温度センサ５２での検知温度が設定温度以上であれば次のステップへ進み、検知温度が設定温度よりも低ければ、前記Ｓ２０４で貯水部６内の温水温度と設定温度とが比較される。
【００４４】
前記Ｓ２０４の比較で貯水温度センサ５０の検知温度が設定温度＋１℃よりも高ければ、貯水温度センサ５０で検知された温度と設定温度＋３℃の値（例えば設定温度が４０℃ならば４３℃）とを比較し（Ｓ２０７）、貯水温度センサ５０での検知温度が設定温度＋３℃以上であれば、加熱ヒータ９をＯＦＦ操作して温水の加熱を停止し（Ｓ２０８）、検知温度が設定温度＋３℃よりも低ければ、前記Ｓ２０３の判断を繰り返す。
【００４５】
前記Ｓ２０６で室内温度センサ５２の検知温度が設定温度以上であれば、前記Ｓ２０８で加熱ヒータ９をＯＦＦ操作して貯水部６内の温水の加熱を停止する。
【００４６】
そして、前記Ｓ２０５で加熱ヒータ９をＯＮ操作もしくは前記Ｓ２０８で加熱ヒータ９をＯＦＦ操作したら、所定の連続運転時間のカウントが終了したか判断して（Ｓ２０９）、カウントの途中であれば、前記Ｓ２０３の室内温度センサ５２と設定温度との比較判断を繰り返し、カウントが終了していれば、自動的に運転スイッチ６２はＯＦＦとなり、安定モードが終了しサウナ運転を終了する。なお、安定モードの連続運転時間中に使用者により運転スイッチ６２がＯＦＦ操作された場合は、即刻前記ステップＳ２１０の処理に移行し、安定モードが終了しサウナ運転を終了する。
【００４７】
また、前記ステップＳ２０１で送風機３６を強運転から弱運転に切り換えることで、使用者がサウナ室２に入室する際には、サウナ室２内の騒音を抑えることができ、さらに、送風機３６の弱運転によりサウナ室２内の空気の循環を減らすことで、サウナ室２内の室温の変動を抑制することができ、その上、空気ヒータ４９の通電を停止して、サウナ室２内の過熱を防止することができるので、サウナ室２内の温度が設定温度に対してズレの少ない安定したものとなり、快適なサウナ入浴を行うことができる。
【００４８】
以上の動作によって、サウナ装置の安定モード時に、予め使用者が設定した設定温度から所定値増減させた値と室内温度センサ５２で検知されたサウナ室２内の温度及び貯水温度センサ５０で検知された貯水部６内の温水温度とを比較して、加熱ヒータ９のＯＮ／ＯＦＦ操作を制御することで、設定温度付近で推移する微細水滴及びマイナスイオンを床に形成した放出口５からサウナ室２に供給することが可能となるため、加熱ヒータ９のＯＮ／ＯＦＦ操作を行う回数を抑えて消費電力の増加を防止し、入浴者が火傷等を負う危険がなくなることで、快適な入浴が可能となる。
【符号の説明】
【００４９】
１    微細水滴及びマイナスイオン発生装置
６    貯水部
９    加熱ヒータ
２５    回転体
３０    多孔体
３６    送風機
５０    貯水温度センサ
５２    室内温度センサ
６７    制御手段
【図１】
0005558904.tif 000002
【図２】
0005558904.tif 000003
【図３】
0005558904.tif 000004
【図４】
0005558904.tif 000005
【図５】
0005558904.tif 000006
【図６】
0005558904.tif 000007
【図７】
0005558904.tif 000008
【図８】
0005558904.tif 000009
【図９】
0005558904.tif 000010
【図１０】
0005558904.tif 000011
【図１１】
0005558904.tif 000012
【図１２】
0005558904.tif 000013
【図１３】
0005558904.tif 000014